(57)【要約】      （修正有）【課題】複数の広告主から受け取った広告情報を有効に出力する広告情報処理システムを提供する。【解決手段】広告情報処理装置と複数の顧客用処理装置と各顧客用処理装置に接続されているディスプレイ装置とで構成され、広告情報処理装置が複数の広告情報をデータベースに記録させる手段と、広告情報をエリア毎に分けて出力する手段を備え、各顧客用処理装置が電源オン信号を出力する電源スイッチと入力手段と記録手段と出力手段と演算処理装置とを備え、演算処理装置が電源オン信号に応じて、広告情報を前記記録手段に記録させる手段と、現在時刻に基づいて、広告情報の並び換えを行う手段と、並び換えた広告情報を出力する手段と、これら各処理を繰り返し実行する手段とを実現し、広告情報の並び換えを行なう手段が、現在時刻の属する時間帯を指定時間にしている広告情報を最初に並べ、その後に、他の全ての広告情報を並べる。【選択図】図１
2012095149.tif 000002
【特許請求の範囲】
【請求項１】
広告情報処理装置と、有線又は無線接続によって、前記広告情報処理装置からの広告情報を受信可能に接続されている複数の顧客用処理装置と、前記顧客用処理装置のそれぞれに接続されているディスプレイ装置と、で構成されている広告情報処理システムであって、
前記広告情報処理装置が、入力手段と、データベースと、第１出力手段と、第１演算処理装置と、を備えており、第１演算処理装置が、コンピュータ読み取り可能なプログラムを実行することによって、
送信先のエリア情報信号と、出力すべき時間帯を指定する信号と、を少なくとも含む付加情報を備える動画又は静止画の複数の広告情報を、入力手段によって入力し、データベースに記録させる手段と、
第１出力手段によって、予め定めたタイミングで、前記データベースに記録してある広告情報を、エリア毎に分け、それぞれ連続して出力する手段と、を実現するものであり、
前記各顧客用処理装置が、該装置の電源オンに伴い電源オン信号を出力する電源スイッチと、第１出力手段に接続されている第１入力手段と、記録手段と、前記ディスプレイ装置への広告情報の第２出力手段と、第２演算処理装置と、を備えており、前記第２演算処理装置が、コンピュータ読み取り可能なプログラムを実行することによって、
電源スイッチからのオン信号に応じて処理を開始し、(a)広告情報処理装置からの広告情報を記録手段に記録させる手段と、(b)現在時刻に基づいて、記録手段に記録している広告情報の並び換えを行う手段と、(c)並び換えた広告情報を出力する手段と、(a),(b),(c)による処理を、繰り返し実行する手段と、を実現するものであり、
前記広告情報の並び換えを行なう手段は、現在時刻の属する時間帯を指定時間にしている広告情報を最初に並べ、その後に、他の全ての広告情報を並べるものである、
ことを特徴とする広告情報処理システム。
【請求項２】
広告情報処理装置と、有線又は無線接続によって、前記広告情報処理装置との間で双方向通信可能に接続されている複数の顧客用処理装置と、前記顧客用処理装置のそれぞれに接続されているディスプレイ装置と、で構成されている広告情報処理システムであって、
前記広告情報処理装置が、入力手段と、データベースと、第１入出力手段と、第１演算処理装置と、を備えており、
前記顧客用処理装置が、電源スイッチと、第２入出力手段と、出力手段と、第２演算処理装置と、を備えており、
広告情報処理装置の第１入出力手段と、複数の顧客用処理装置の第２入出力手段と、が双方向接続されており、
前記広告情報処理装置の第１演算処理装置が、コンピュータ読み取り可能なプログラムを実行することによって、
送信先のエリア情報信号と、出力すべき時間帯を指定する信号と、を少なくとも含む付加情報を備える動画又は静止画の複数の広告情報を、前記第１入出力手段によって入力し、前記データベースに記録させる手段と、
顧客用処理装置の電源スイッチからの電源オン信号と、該顧客用処理装置の第２演算処理装置によって出力されるエリア信号と、の第１入出力手段への入力に応じて処理を開始し、(a)前記データベースに記録してある広告情報を、エリア毎に特定する手段と、(b)現在時刻に基づいて、広告情報の並び換えを行う手段と、(c)並び換えた広告情報を出力する手段と、(a),(b),(c)による処理を、電源スイッチからの電源オフ信号を受けるまでの間、繰り返し実行する手段と、を実現するものであり、
前記広告情報の並び換えを行なう手段は、現在時刻の属する時間帯を指定時間にしている広告情報を最初に並べ、その後に、他の全ての広告情報を並べるものであり、
前記各顧客用処理装置の第２演算処理装置が、コンピュータ読み取り可能なプログラムを実行することによって、
前記電源スイッチがオンしたときに電源オン信号を第２入出力手段に出力する手段と、エリア信号を第２入出力手段に出力する手段と、広告情報処理装置から広告情報を受け取り、ディスプレイ装置に出力する手段と、電源スイッチがオフしたときに電源オフ信号を第２入出力手段に出力する手段と、を実現するものである、
ことを特徴とする広告情報処理システム。
【請求項３】
請求項１又は請求項２記載の広告情報処理システムにおいて、
前記広告情報の並び換えを行なう手段が、記録した順番で各広告情報を並べる手段と、現在時刻の属する時間帯を指定時間にしている広告情報を最初に並べる手段と、前記広告情報のいずれか１つを定め、該定めた広告情報より後に記録した広告情報を、記録した順に並び換え、該定めた広告情報よりも前に記録した広告情報を、記録した順に並べ換える手段と、を備えている、
ことを特徴とする広告情報処理システム。
【請求項４】
請求項１又は請求項２記載の広告情報処理システムにおいて、
前記広告情報の並び換えを行なう手段が、記録手段に記録した順番で各広告情報を並べる手段と、現在時刻の属する時間帯を指定時間にしている広告情報を最初に並べる手段と、残りの全ての広告情報を記録した順番に並べる手段と、を備えている、
ことを特徴とする広告情報処理システム。
【請求項５】
請求項１又は請求項２記載の広告情報処理システムにおいて、
前記広告情報の並び換えを行なう手段が、記録した順番で各広告情報を並べる手段と、現在時刻の属する時間帯を指定時間にしている広告情報を最初に並べる手段と、電源スイッチをオンにした時刻の属する時間帯以後２４時までを時間指定している広告情報、０時から電源スイッチをオンにした時刻の属する時間帯より前の時間帯までを時間指定している広告情報、時間指定の無い全ての広告情報、の順に並べる手段と、を備えている、
ことを特徴とする広告情報処理システム。
【請求項６】
広告情報処理装置と、有線又は無線接続によって、前記広告情報処理装置からの広告情報を受信可能に接続されている複数の顧客用処理装置と、該顧客用処理装置のそれぞれに接続されているディスプレイ装置と、で構成されている広告情報処理システムで用いるコンピュータ読み取り可能な第１、第２プログラムを備えるプログラムであって、
前記広告情報処理装置が、入力手段と、データベースと、第１出力手段と、第１演算処理装置と、を備えており、前記第１演算処理装置が、第１プログラムを実行することによって、
送信先のエリア情報信号と、出力すべき時間帯を指定する信号と、を少なくとも含む付加情報を備える動画又は静止画の複数の広告情報を、前記入力手段によって入力し、前記データベースに記録させる手段と、
第１出力手段によって、予め定めたタイミングで、前記データベースに記録してある広告情報を、エリア毎に分け、それぞれ連続して出力する手段と、を実現するものであり、
前記各顧客用処理装置が、該装置の電源オンに伴い電源オン信号を出力する電源スイッチと、第１出力手段に接続されている第１入力手段と、記録手段と、前記ディスプレイ装置への広告情報の第２出力手段と、第２演算処理装置と、を備えており、前記第２演算処理装置が、第２プログラムを実行することによって、
前記電源スイッチからのオン信号に応じて処理を開始し、(a)前記広告情報処理装置からの広告情報を記録手段に記録させる手段と、(b)現在時刻に基づいて、記録手段に記録している広告情報の並び換えを行う手段と、(c)並び換えた広告情報を出力する手段と、(a),(b),(c)による処理を、繰り返し実行する手段と、を実現するものであり、
前記広告情報の並び換えを行なう手段は、現在時刻の属する時間帯を指定時間にしている広告情報を最初に並べ、その後に、他の全ての広告情報を並べるものである、
ことを特徴とする広告情報処理システム用のプログラム。
【請求項７】
広告情報処理装置と、有線又は無線接続によって、前記広告情報処理装置との間で双方向通信可能に接続されている複数の顧客用処理装置と、該顧客用処理装置のそれぞれに接続されているディスプレイ装置と、で構成されている広告情報処理システムで用いるコンピュータ読み取り可能な第１、第２プログラムを備えるプログラムあって、
前記広告情報処理装置が、入力手段と、データベースと、第１入出力手段と、第１演算処理装置と、を備えており、
前記顧客用処理装置が、電源スイッチと、第２入出力手段と、出力手段と、第２演算処理装置と、を備えており、
前記広告情報処理装置の第１入出力手段と、複数の顧客用処理装置の第２入出力手段と、が双方向接続されており、
前記広告情報処理装置の第１演算処理装置が、第１プログラムを実行することによって、
送信先のエリア情報信号と、出力すべき時間帯を指定する信号と、を少なくとも含む付加情報を備える動画又は静止画の複数の広告情報を、前記第１入出力手段によって入力し、前記データベースに記録させる手段と、
顧客用処理装置の電源スイッチからの電源オン信号と、該顧客用処理装置の第２演算処理装置によって出力されるエリア信号と、の第１入出力手段への入力に応じて処理を開始し、(a)前記データベースに記録してある広告情報を、エリア毎に特定する手段と、(b)現在時刻に基づいて、広告情報の並び換えを行う手段と、(c)並び換えた広告情報を出力する手段と、(a),(b),(c)による処理を、電源スイッチからの電源オフ信号を受けるまでの間、繰り返し実行する手段と、を実現するものであり、
前記広告情報の並び換えを行なう手段は、現在時刻の属する時間帯を指定時間にしている広告情報を最初に並べ、その後に、他の全ての広告情報を並べるものであり、
前記各顧客用処理装置の第２演算処理装置が、第２プログラムを実行することによって、
前記電源スイッチがオンしたときに電源オン信号を第２入出力手段に出力する手段と、エリア信号を第２入出力手段に出力する手段と、広告情報処理装置から広告情報を受け取り、ディスプレイ装置に出力する手段と、電源スイッチがオフしたときに電源オフ信号を第２入出力手段に出力する手段と、を実現するものである、
ことを特徴とする広告情報処理システム用のプログラム。
【請求項８】
請求項６又は請求項７記載の広告情報処理システム用のプログラムにおいて、
前記広告情報の並び換えを行なう手段が、記録した順番で各広告情報を並べる手段と、現在時刻の属する時間帯を指定時間にしている広告情報を最初に並べる手段と、前記広告情報のいずれか１つを定め、該定めた広告情報より後に記録した広告情報を、記録した順に並び換え、該定めた広告情報よりも前に記録した広告情報を、記録した順に並べ換える手段と、を備えている、
ことを特徴とする広告情報処理システム用のプログラム。
【請求項９】
請求項６又は請求項７記載の広告情報処理システム用のプログラムにおいて、
前記広告情報の並び換えを行なう手段が、記録手段に記録した順番で各広告情報を並べる手段と、現在時刻の属する時間帯を指定時間にしている広告情報を最初に並べる手段と、残りの広告情報を記録した順番に並べる手段と、を備えている、
ことを特徴とする広告情報処理システム用のプログラム。
【請求項１０】
請求項６又は請求項７記載の広告情報処理システム用のプログラムにおいて、
前記広告情報の並び換えを行なう手段が、記録手段に記録した順番で各広告情報を並べる手段と、現在時刻の属する時間帯を指定時間にしている広告情報を最初に並べる手段と、電源スイッチをオンにした時刻の属する時間帯以後２４時までを時間指定している広告情報、０時から電源スイッチをオンにした時刻の属する時間帯より前の時間帯までを時間指定している広告情報、時間指定の無い全ての広告情報、の順に並べる手段と、を備えている、
ことを特徴とする広告情報処理システム用のプログラム。
【発明の詳細な説明】
【技術分野】
【０００１】
本発明は、ＴＶ等を媒体とした、広告情報処理システムと該システムに用いるプログラムと、に関する。
【背景技術】
【０００２】
図１２は、従来の広告情報処理システムの全体図である。本システムは、ホストコンピュータ又は親局２００と、該ホストコンピュータ又は親局２００にインターネット、有線放送、又は、無線放送２０１によって接続されている顧客の端末又は子局２０２、２０３、２０４と、で構成されている。ホストコンピュータ又は親局２００は、予め時系列に並べられ、用意されている広告プログラムに沿う広告情報を、順に顧客の端末又は子局に出力する。
【０００３】
ＴＶ番組のスポンサーによるＣＭ、インターネットのＨＰに掲載されるスポンサーの広告又はＣＭ等のように、広告情報を、ターゲットとする顧客に効率よく配信するためのシステムが種々提案されている。このようなシステムとしては、例えば、下記特許文献に記載されたものがある。
【先行技術文献】
【特許文献】
【０００４】
【特許文献１】特開２００３−４６６４８号公報
【特許文献２】特開２００３−２７１５００号公報
【特許文献３】ＷＯ２００８／０９３６３０（特願２００８−５５６０８２）
【０００５】
特許文献１には、広告を顧客の携帯電話へと出力して閲覧させるシステムであって、配信する広告画像を時間帯に応じて複数の広告画像から選択する配信画像選択手段、を備えているシステムが、記載されている。
【０００６】
特許文献２には、電源投入後、ネットワーク端末が初期設定を実行している間に、事前にサーバから取得し記憶してある広告情報を、メーカーロゴの代わりに出力する手段を、備えている、ネットワーク端末装置が記載されている。
【０００７】
特許文献３には、ネットワーク上の情報を「ながら視聴」できるようにすることを目的として、Ｗｅｂサーバと、ローカルネットワークと、の間に設けられる動画生成サーバであって、複数のＷｅｂコンテンツを指定するコンテンツ指定手段と、指定したコンテンツを収集するコンテンツ収集手段と、収集したコンテンツに基づくコンテンツ画像を生成するコンテンツ画像生成手段と、表示形態設定手段と、収集したコンテンツ画像から時系列で変化する１の動画ファイルを生成する動画生成手段と、を含むものが記載されている。
【発明の概要】
【発明が解決しようとする課題】
【０００８】
上記のシステム又は装置は、複数の広告主から受け取った広告情報であって、顧客に見せるのに望ましい時間についての情報を有している情報を処理するものであるが、前記望ましい時間経過後のものについては、もはや顧客に見せない、とする処理を行なうものである。
【０００９】
地域密着型の広告情報を処理するシステムでは、顧客が広告を見る時間を考慮しつつも、複数の広告主から受け取った広告情報を、繰り返し示すことが求められる。
【００１０】
しかし、前述のシステム又は装置では、顧客に見せるのに望ましい時間にある広告と、そうでない広告と、を広告としての効果を高めつつ、処理することについて、何ら記載も示唆もされていない。
【００１１】
本発明は、顧客が広告を見る時間を考慮し、広告としての効果を高めつつも、複数の広告主から受け取った広告情報の全てを、繰り返し示す広告情報処理システムを、提供することを目的とする。
【課題を解決するための手段】
【００１２】
請求項１記載の広告情報処理システムは、広告情報処理装置と、有線又は無線接続によって、前記広告情報処理装置からの広告情報を受信可能に接続されている複数の顧客用処理装置と、前記顧客用処理装置のそれぞれに接続されているディスプレイ装置と、で構成されている広告情報処理システムであって、前記広告情報処理装置が、入力手段と、データベースと、第１出力手段と、第１演算処理装置と、を備えており、第１演算処理装置が、コンピュータ読み取り可能なプログラムを実行することによって、送信先のエリア情報信号と、出力すべき時間帯を指定する信号と、を少なくとも含む付加情報を備える動画又は静止画の複数の広告情報を、入力手段によって入力し、データベースに記録させる手段と、第１出力手段によって、予め定めたタイミングで、前記データベースに記録してある広告情報を、エリア毎に分け、それぞれ連続して出力する手段と、を実現するものであり、前記各顧客用処理装置が、該装置の電源オンに伴い電源オン信号を出力する電源スイッチと、第１出力手段に接続されている第１入力手段と、記録手段と、前記ディスプレイ装置への広告情報の第２出力手段と、第２演算処理装置と、を備えており、前記第２演算処理装置が、コンピュータ読み取り可能なプログラムを実行することによって、電源スイッチからのオン信号に応じて処理を開始し、(a)広告情報処理装置からの広告情報を記録手段に記録させる手段と、(b)現在時刻に基づいて、記録手段に記録している広告情報の並び換えを行う手段と、(c)並び換えた広告情報を出力する手段と、(a),(b),(c)による処理を、繰り返し実行する手段と、を実現するものであり、前記広告情報の並び換えを行なう手段は、現在時刻の属する時間帯を指定時間にしている広告情報を最初に並べ、その後に、他の全ての広告情報を並べるものである、ことを特徴とする。
【００１３】
請求項２記載の広告情報処理システムは、広告情報処理装置と、有線又は無線接続によって、前記広告情報処理装置との間で双方向通信可能に接続されている複数の顧客用処理装置と、前記顧客用処理装置のそれぞれに接続されているディスプレイ装置と、で構成されている広告情報処理システムであって、前記広告情報処理装置が、入力手段と、データベースと、第１入出力手段と、第１演算処理装置と、を備えており、前記顧客用処理装置が、電源スイッチと、第２入出力手段と、出力手段と、第２演算処理装置と、を備えており、広告情報処理装置の第１入出力手段と、複数の顧客用処理装置の第２入出力手段と、が双方向接続されており、前記広告情報処理装置の第１演算処理装置が、コンピュータ読み取り可能なプログラムを実行することによって、送信先のエリア情報信号と、出力すべき時間帯を指定する信号と、を少なくとも含む付加情報を備える動画又は静止画の複数の広告情報を、前記第１入出力手段によって入力し、前記データベースに記録させる手段と、顧客用処理装置の電源スイッチからの電源オン信号と、該顧客用処理装置の第２演算処理装置によって出力されるエリア信号と、の第１入出力手段への入力に応じて処理を開始し、(a)前記データベースに記録してある広告情報を、エリア毎に特定する手段と、(b)現在時刻に基づいて、広告情報の並び換えを行う手段と、(c)並び換えた広告情報を出力する手段と、(a),(b),(c)による処理を、電源スイッチからの電源オフ信号を受けるまでの間、繰り返し実行する手段と、を実現するものであり、前記広告情報の並び換えを行なう手段は、現在時刻の属する時間帯を指定時間にしている広告情報を最初に並べ、その後に、他の全ての広告情報を並べるものであり、前記各顧客用処理装置の第２演算処理装置が、コンピュータ読み取り可能なプログラムを実行することによって、前記電源スイッチがオンしたときに電源オン信号を第２入出力手段に出力する手段と、エリア信号を第２入出力手段に出力する手段と、広告情報処理装置から広告情報を受け取り、ディスプレイ装置に出力する手段と、電源スイッチがオフしたときに電源オフ信号を第２入出力手段に出力する手段と、を実現するものである、ことを特徴とする。
【００１４】
請求項３記載の広告情報処理システムは、請求項１又は請求項２記載の広告情報処理システムにおいて、前記広告情報の並び換えを行なう手段が、記録した順番で各広告情報を並べる手段と、現在時刻の属する時間帯を指定時間にしている広告情報を最初に並べる手段と、前記広告情報のいずれか１つを定め、該定めた広告情報より後に記録した広告情報を、記録した順に並び換え、該定めた広告情報よりも前に記録した広告情報を、記録した順に並べ換える手段と、を備えていることを特徴とする。
【００１５】
請求項４記載の広告情報処理システムは、請求項１又は請求項２記載の広告情報処理システムにおいて、前記広告情報の並び換えを行なう手段が、記録手段に記録した順番で各広告情報を並べる手段と、現在時刻の属する時間帯を指定時間にしている広告情報を最初に並べる手段と、残りの全ての広告情報を記録した順番に並べる手段と、を備えていることを特徴とする。
【００１６】
請求項５記載の広告情報処理システムは、請求項１又は請求項２記載の広告情報処理システムにおいて、前記広告情報の並び換えを行なう手段が、記録した順番で各広告情報を並べる手段と、現在時刻の属する時間帯を指定時間にしている広告情報を最初に並べる手段と、電源スイッチをオンにした時刻の属する時間帯以後２４時までを時間指定している広告情報、０時から電源スイッチをオンにした時刻の属する時間帯より前の時間帯までを時間指定している広告情報、時間指定の無い全ての広告情報、の順に並べる手段と、を備えていることを特徴とする。
【００１７】
請求項６記載の広告情報処理システム用のプログラムは、広告情報処理装置と、有線又は無線接続によって、前記広告情報処理装置からの広告情報を受信可能に接続されている複数の顧客用処理装置と、該顧客用処理装置のそれぞれに接続されているディスプレイ装置と、で構成されている広告情報処理システムで用いるコンピュータ読み取り可能な第１、第２プログラムを備えるプログラムであって、前記広告情報処理装置が、入力手段と、データベースと、第１出力手段と、第１演算処理装置と、を備えており、前記第１演算処理装置が、第１プログラムを実行することによって、送信先のエリア情報信号と、出力すべき時間帯を指定する信号と、を少なくとも含む付加情報を備える動画又は静止画の複数の広告情報を、前記入力手段によって入力し、前記データベースに記録させる手段と、第１出力手段によって、予め定めたタイミングで、前記データベースに記録してある広告情報を、エリア毎に分け、それぞれ連続して出力する手段と、を実現するものであり、前記各顧客用処理装置が、該装置の電源オンに伴い電源オン信号を出力する電源スイッチと、第１出力手段に接続されている第１入力手段と、記録手段と、前記ディスプレイ装置への広告情報の第２出力手段と、第２演算処理装置と、を備えており、前記第２演算処理装置が、第２プログラムを実行することによって、前記電源スイッチからのオン信号に応じて処理を開始し、(a)前記広告情報処理装置からの広告情報を記録手段に記録させる手段と、(b)現在時刻に基づいて、記録手段に記録している広告情報の並び換えを行う手段と、(c)並び換えた広告情報を出力する手段と、(a),(b),(c)による処理を、繰り返し実行する手段と、を実現するものであり、前記広告情報の並び換えを行なう手段は、現在時刻の属する時間帯を指定時間にしている広告情報を最初に並べ、その後に、他の全ての広告情報を並べるものである、ことを特徴とする。
【００１８】
請求項７記載の広告情報処理システム用のプログラムは、広告情報処理装置と、有線又は無線接続によって、前記広告情報処理装置との間で双方向通信可能に接続されている複数の顧客用処理装置と、該顧客用処理装置のそれぞれに接続されているディスプレイ装置と、で構成されている広告情報処理システムで用いるコンピュータ読み取り可能な第１、第２プログラムを備えるプログラムあって、前記広告情報処理装置が、入力手段と、データベースと、第１入出力手段と、第１演算処理装置と、を備えており、前記顧客用処理装置が、電源スイッチと、第２入出力手段と、出力手段と、第２演算処理装置と、を備えており、前記広告情報処理装置の第１入出力手段と、複数の顧客用処理装置の第２入出力手段と、が双方向接続されており、前記広告情報処理装置の第１演算処理装置が、第１プログラムを実行することによって、送信先のエリア情報信号と、出力すべき時間帯を指定する信号と、を少なくとも含む付加情報を備える動画又は静止画の複数の広告情報を、前記第１入出力手段によって入力し、前記データベースに記録させる手段と、顧客用処理装置の電源スイッチからの電源オン信号と、該顧客用処理装置の第２演算処理装置によって出力されるエリア信号と、の第１入出力手段への入力に応じて処理を開始し、(a)前記データベースに記録してある広告情報を、エリア毎に特定する手段と、(b)現在時刻に基づいて、広告情報の並び換えを行う手段と、(c)並び換えた広告情報を出力する手段と、(a),(b),(c)による処理を、電源スイッチからの電源オフ信号を受けるまでの間、繰り返し実行する手段と、を実現するものであり、前記広告情報の並び換えを行なう手段は、現在時刻の属する時間帯を指定時間にしている広告情報を最初に並べ、その後に、他の全ての広告情報を並べるものであり、前記各顧客用処理装置の第２演算処理装置が、第２プログラムを実行することによって、前記電源スイッチがオンしたときに電源オン信号を第２入出力手段に出力する手段と、エリア信号を第２入出力手段に出力する手段と、広告情報処理装置から広告情報を受け取り、ディスプレイ装置に出力する手段と、電源スイッチがオフしたときに電源オフ信号を第２入出力手段に出力する手段と、を実現するものである、ことを特徴とする。
【００１９】
請求項８記載の広告情報処理システム用のプログラムは、請求項６又は請求項７記載の広告情報処理システム用のプログラムにおいて、前記広告情報の並び換えを行なう手段が、記録した順番で各広告情報を並べる手段と、現在時刻の属する時間帯を指定時間にしている広告情報を最初に並べる手段と、前記広告情報のいずれか１つを定め、該定めた広告情報より後に記録した広告情報を、記録した順に並び換え、該定めた広告情報よりも前に記録した広告情報を、記録した順に並べ換える手段と、を備えていることを特徴とする。
【００２０】
請求項９記載の広告情報処理システム用のプログラムは、請求項６又は請求項７記載の広告情報処理システム用のプログラムにおいて、前記広告情報の並び換えを行なう手段が、記録手段に記録した順番で各広告情報を並べる手段と、現在時刻の属する時間帯を指定時間にしている広告情報を最初に並べる手段と、残りの広告情報を記録した順番に並べる手段と、を備えていることを特徴とする。
【００２１】
請求項１０記載の広告情報処理システム用のプログラムは、請求項６又は請求項７記載の広告情報処理システム用のプログラムにおいて、前記広告情報の並び換えを行なう手段が、記録手段に記録した順番で各広告情報を並べる手段と、現在時刻の属する時間帯を指定時間にしている広告情報を最初に並べる手段と、電源スイッチをオンにした時刻の属する時間帯以後２４時までを時間指定している広告情報、０時から電源スイッチをオンにした時刻の属する時間帯より前の時間帯までを時間指定している広告情報、時間指定の無い全ての広告情報、の順に並べる手段と、を備えていることを特徴とする。
【発明の効果】
【００２２】
請求項１記載の広告情報処理システム又は請求項６記載のプログラムを実行することによって実現される広告情報処理システムでは、顧客用処理装置の電源スイッチをオンにした後は、現在時間に応じて、その時間帯に、最も有意な広告、即ち、その時間帯を指定している広告を先ず出力し、その後に他の広告を順に出力し、全ての広告を出力後に、これを繰り返し出力する、という処理を実行することができる。
【００２３】
請求項２記載の広告情報処理システム又は請求項７記載のプログラムを実行することによって実現される広告情報処理システムにおいて、広告情報処理装置に双方向通信可能に接続されている顧客用処理装置は、広告情報用の大容量の記録装置、例えば、ハードディスク等を備えることなく、電源スイッチをオンにした後、現在時間に応じて、その時間帯に、最も有意な広告、即ち、その時間帯を指定している広告を先ず出力し、その後に他の広告を順に出力し、全ての広告を出力後に、これを繰り返し出力する、という処理を実行することができる。
【００２４】
請求項３記載の広告情報処理システム又は請求項８記載のプログラムを実行することによって実現される広告情報処理システムでは、電源スイッチをオンにした後、現在の時間帯を指定している広告情報を先ず出力し、その後に、先の広告よりも後に登録した広告の広告情報を順に出力し、次に、前記先の広告よりも前に記録してある広告情報について、時間の早いものから順に出力し、これを、現在の時間帯が次の時間帯に移るまで繰り返し出力する。該構成を採用したことによって、繰り返し出力される際に、記録順序とのずれを少なくすることができる。即ち、先に契約した広告主よりも前に、後で契約した広告主の広告が出力される数を少なく抑えることができる。
【００２５】
請求項４記載の広告情報処理システム又は請求項９記載のプログラムを実行することによって実現される広告情報処理システムでは、電源スイッチをオンにした後、現在の時間帯を指定している広告情報を先ず出力し、その後に、残りの広告情報を記録順に出力し、これを、現在の時間帯が次の時間帯に移るまで繰り返し出力する。該構成を採用したことによって、繰り返し出力される際に、記録順序とのずれを少なくすることができる。即ち、先に契約した広告主よりも前に、後で契約した広告主の広告が出力される数を少なく抑えることができる。
【００２６】
請求項５記載の広告情報処理システム又は請求項１０記載のプログラムを実行することによって実現される広告情報処理システムでは、先に、時間指定のある広告情報を、有意な順に出力し、次に時間指定の無い広告情報の出力を行なうことで、広告処理を有効に繰り返し出力することができる。
【図面の簡単な説明】
【００２７】
【図１】実施例１に係る広告情報処理システムの全体図である。
【図２】実施例１の広告情報処理装置の構成図である。
【図３】実施例１の顧客用処理装置の構成図である。
【図４】広告が有している情報と、該情報に基づいて行なわれる広告の出力順序と、を説明するための図である。
【図５】実施例１の広告情報処理装置の実行する処理のフローチャートである。
【図６】実施例１の各エリアの顧客用処理装置の実行する処理のフローチャートである。
【図７】図６のステップＳ２２のサブルーチンの内容を示すフローチャートである。
【図８】広告のディスプレイ等への出力例を示す図である。
【図９】実施例２に係る広告情報処理システムの全体図である。
【図１０】実施例２の広告情報処理装置の実行する処理のフローチャートである。
【図１１】実施例２の顧客用処理装置の実行する処理のフローチャートである。
【図１２】従来の広告情報処理システムの全体図である。
【発明を実施するための形態】
【００２８】
図１は、実施例１に係る広告情報処理システムの全体図である。本システムは、広告情報処理装置１と、複数の放送エリアＥ１〜Ｅｎ（ｎは、放送エリアの最大値を示す自然数）に用意された顧客用処理装置３ａ、３ｂ、３ｃ…等と、該顧客用処理装置に接続されている、表示手段であるＴＶ（ディスプレイ装置）４ａ、４ｂ、４ｃ…等と、で構成されている。
【００２９】
広告情報処理装置１は、広告情報を無線信号に符号化して出力するためのエンコーダ１６とアンテナ２２とを備えている。顧客用処理装置３ａは、前記無線信号を受信して元の広告情報に復号するためのアンテナ２３とデコーダ３５とを備えている。エンコーダ１６と、アンテナ２２、２３と、デコーダ３５とは、データ送受信部２を構成している。実施例では、かかる部分に、ＴＶアンテナを利用する。なお、有線又は無線のインターネット回線、又は、有線ＴＶ放送の回線等で実現される双方向回線、を利用する場合について、実施例２で説明する。
【００３０】
図２は、広告情報処理装置１の構成図である。該装置は、中央演算処理装置（以下、ＣＰＵ）と、ＲＯＭ１１と、ＲＡＭ１２と、ディスプレイ１３と、入力手段１４と、データベース１５と、出力手段１７と、で構成されている。ＲＯＭ１１は、広告情報処理プログラム（第１プログラム）と、必要なＯＳ（オペレーション・システム）プログラムと、を記録している。ＲＡＭ１２は、プログラム等を展開し、処理を行なうための作業用メモリである。入力手段１４は、ビデオカメラ、スキャナ、キーボード、マウス等で構成されている。データベース１５は、大容量のデータ記録装置、例えば、ハードディスクであり、入力された広告情報を記録する。出力手段１７は、広告情報の出力を行なう手段であり、図１で説明したエンコーダ１６と、アンテナ２２と、で構成されている。ＣＰＵ１０は、ＲＯＭ１１から広告情報処理プログラムをＲＡＭ１２へと読み出して実行する。なお、ＣＰＵ１０は、時計機能を有しており、例えば、データベース１５へ広告情報を記録する際に、その日時を一緒に記録する。ＣＰＵ１０とは別に、時計を備える構成を採用しても良い。
【００３１】
図２右側には、広告情報処理装置１に入力される広告情報が示されている。広告情報は、広告の動画又は静止画のデータ（必要な音声データを含む）と、その広告に備えられている付加情報と、で構成されている。
【００３２】
付加情報について説明する。時間指定情報は、放送する時間帯を指定するための情報で、０時〜１時、１時〜２時、２時〜３時、…、２３時〜２４時の時間帯に対応してＴ１〜Ｔ２４が指定できる。広告主Ｃ−１の広告は、放送エリアがＥ１で、広告は、静止画を表示しつつ音声によって行うもので、６時から７時までの時間帯に放送する、という付加情報を備えている。広告主Ｃ−２の広告は、放送エリアがＥ１で、広告は、動画を再生しつつ音声によって行なうもので、放送する時間帯の指定は無い、という付加情報を備えている。広告主Ｃ−３の広告は、放送エリアがＥ１で、広告は、静止画を表示しつつ音声によって行なうもので、１１時から１２時までの時間帯に放送する、という付加情報を備えている。広告情報は、前記入力手段１４を用いてデータベース１５に記録されるが、この際、付加情報として、記録された順番を示す付加情報が追加される。
【００３３】
図３は、顧客用処理装置３ａの構成と、該装置に接続されている、表示手段であるＴＶ（ディスプレイ装置）４ａと、を示す図である。顧客用処理装置３ａは、中演算処理装置（以下、ＣＰＵ）３０と、ＲＯＭ３１と、ＲＡＭ３２と、出力手段３３と、ハードディスク３４と、電源スイッチ３６と、入力手段３７と、を備えている。ＲＯＭ３１は、顧客側の広告情報処理プログラム（第２プログラム）と、ＯＳと、を記録している。ＲＡＭ３２は、プログラム等を展開し、処理を行なうための作業用メモリである。出力手段３３は、広告情報を表示手段であるＴＶ４ａに出力する。ハードディスク３４は、広告情報処理装置１から送られてきた広告情報（動画又は静止画像のデータと、エリア情報、時間指定の情報、記録順序の情報）を、記録するのに用いられる。電源スイッチ３６は、顧客用処理装置３ａ本体の電源スイッチであり、オン動作、オフ動作に伴って、ＣＰＵ３０にオン信号、オフ信号を出力する。入力手段３７は、広告情報処理装置１から送られてくる広告情報等を顧客用処理装置３ａ、３ｂ…へと入力するための手段であり、図１で説明したアンテナ２３と、デコーダ３５と、で構成されている。ＣＰＵ３０は、ＲＯＭ３１から顧客側の広告情報処理プログラムをＲＡＭ３２へと読み出して実行する。ＴＶアンテナとＴＶとの間に設置される周知のＴＶ番組の録画、再生を行なう周知の画像処理装置のように、出力手段３３は、電源オフ時、アンテナ２３によって受信した信号を、そのままＴＶ４ａへと出力する。一方、出力手段３３は、電源オン時、ＣＰＵ３０による演算処理後の広告情報をＴＶ４ａに出力する。ＣＰＵ３０は、時計機能を有しており、例えば、ハードディスク３４へ広告情報を記録する際に、その日時を一緒に記録する。ＣＰＵ３０とは別に、時計を備える構成を採用しても良い。
【００３４】
図４は、広告情報に含まれている付加情報と、該付加情報に基づいて行なわれる広告の出力順序の並び換えと、を説明するための図である。詳しい説明は、図６、７に記載のフローチャートを用いて行なう。
【００３５】
本図において、広告主Ｃ−１乃至Ｃ−３の広告は、図２で既に説明したものと同じである。
【００３６】
広告主Ｃ−４の広告は、放送エリアがＥ１で、広告は、静止画を表示しつつ音声によって行なうもので、放送する時間帯の指定は無い、という付加情報を備えている。
【００３７】
広告主Ｃ−５の広告は、放送エリアがＥ１で、広告は、動画を再生しつつ音声によって行なうもので、１１時から１２時までの時間帯に放送する、という付加情報を備えている。
【００３８】
各広告主を識別するＣ−ｍ（ｍは、１、２、…）の値ｍは、広告情報処理装置１から顧客用処理装置３ａへと送られてきた順にしたがって広告情報に追加した番号情報（付加情報）である。本図に示す例では、広告主は全部で５人又は５社であり、Ｃ−１からＣ−５の順で広告情報処理装置１から送られ、番号付けされ、ハードディスク３４に記録される。
【００３９】
広告情報は、以下の順序で出力する。まず、電源スイッチ３６がオンにされた時刻の属する時間指定Ｔｚの広告を検索し、該当する広告を出力する。
【００４０】
次に、Ｔｚ以外の時間指定の広告と時間指定の無い広告と、を出力する。本実施例では、前記出力した広告の内の１つ、例えば、より早くに記録された広告を特定する。次に、該特定した広告よりも後に記録されている未出力の広告を記録順に出力する。次に、特定した広告よりも前に記録されている未出力の広告を記録順に出力する。
【００４１】
例えば、条件１として、朝６時半頃に電源スイッチ３６をオンにした場合を考える。この場合、時間指定Ｔ７となっている広告が１つしかなく、かつ、Ｔ７より少ない値の時間を指定している広告が無いため、Ｃ−１の広告を出力する。この後、Ｃ−２、Ｃ−３、Ｃ−４、Ｃ−５の記録順に広告を出力する。
【００４２】
例えば、条件２として、昼１１時半頃に電源スイッチ３６をオンにした場合を考える。この場合、時間指定Ｔ１２となっている広告がＣ−３、Ｃ−５の２つある。まず、記録順にＣ−３、Ｃ−５の順で広告を出力する。次に、Ｃ−３を特定の広告とし、それより後に記録されている未出力の広告Ｃ−４を出力する。次に、Ｃ−３より前に記録されている未出力の広告Ｃ−１、Ｃ−２を記録順に出力する。
【００４３】
なお、Ｃ−３、Ｃ−５の広告を出力後の、残りの全ての広告を出力する順序については、種々の変形例を考えることができる。例えば、第１変形例として、記録した順序通りに出力することができる。この場合、Ｃ−１、Ｃ−２、Ｃ−４の順に出力する。
【００４４】
また、第２変形例として、電源スイッチ３６をオンにした時刻の属する時間帯以後２４時までを時間指定している広告情報を順に全て出力し、次に、０時から電源スイッチ３６をオンにした時刻の属する時間帯より前の時間帯までを時間指定している広告情報を順に全て出力し、次に、時間指定の無い全ての広告を出力することもできる。この場合、図４に示した例では偶然、第１変形例と同じになるが、Ｃ−１、Ｃ−２、Ｃ−４の順に出力する。
【００４５】
全ての広告を出力した後は、現在時刻が、次の時間帯に変わるまでの間、前記順序で繰り返し広告の出力を行なう。現在時刻が、次の時間帯、例えば、条件１では、Ｔ８、条件２では、Ｔ１３へと変わった場合には、並べ直しを行なう。
【００４６】
前記順序で広告を出力することで、顧客は、処理装置の電源を入れた直後から、常に最も有意な広告、即ち、その時間帯を指定している広告を先ず観ることができ、その後に他の広告を順に観て、全ての広告を繰り返し観ることができる。
【００４７】
図５は、広告情報処理装置１の実行する処理のフローチャートである。まず、ＣＰＵ１０は、広告主からの依頼を受けた使用者による入力手段１４の操作を受け付ける（ステップＳ１０）。入力手段１４から広告情報の入力があった場合には（ステップＳ１０でＹｅｓ）、入力された広告情報をデータベース１５に記録する（ステップＳ１１）。データベース１５は、記録順序と共に、１つの広告情報を１レコードとして管理する。
【００４８】
前記広告情報とは、図２等に示したように、例えば、静止画又は動画のデータ（音声データを含む）と、Ｅ１、Ｅ２…、Ｅｎ（ｎは、放送エリアの最大値を示す自然数）の内の何れか１つ又は複数の放送エリアについての付加情報と、時間指定Ｔ１〜Ｔ２４又は指定無しについての付加情報と、を含んでいる。
【００４９】
入力手段１４から広告情報の入力が無い場合には（ステップＳ１０でＮｏ）、前記ステップＳ１１をスキップする。
【００５０】
予め定めた情報配信時間になった場合（ステップＳ１２でＹｅｓ）、各エリアの顧客用処理装置３ａ、３ｂ、…へと、データベース１５への記録順に広告情報を送信する（ステップＳ１３）。該送信処理の後、又は、情報配信時間以外の時間の場合（ステップＳ１２でＮｏ）は、ステップＳ１０に戻る。
【００５１】
図６は、各エリアの顧客用処理装置３ａ、３ｂ、…の実行する処理のフローチャートである。電源スイッチ３６がオンなるのを待つ（ステップＳ２０）。電源スイッチ３６がオンにされた場合（ステップＳ２０でＹｅｓ）、ハードディスク３４に広告情報があるか否かを確認する（ステップＳ２１）。無い場合には（ステップＳ２１でＮｏ）、入力手段３７を広告情報受信状態にして、広告情報処理装置１から広告情報が送られてきた場合には、これを受信し、ハードディスク３４に記録する（ステップＳ２４）。広告情報がハードディスク３４に記録されている場合には（ステップＳ２１でＹｅｓ）、現在時刻に基づく並び換え処理を実行する（ステップＳ２２）。並べ換え後の順序で、広告情報を出力する（ステップＳ２３）。広告情報の出力後、前述したステップＳ２４へと進む。入力手段３７を広告情報受信状態にして、広告情報処理装置１から広告情報が送られてきた場合には、これを受信し、ハードディスク内のデータを更新する（ステップＳ２４）。
【００５２】
図７は、図６のステップＳ２２の“現在時刻に基づく並び換え処理”のサブルーチンの内容を示すフローチャートである。まず、ハードディスク３４への広告情報の記録順に、広告主を表す識別番号Ｃ−ｍ（ｍは記録順序を示す整数であり、その最大値ｍｍａｘは総記録数である）を付す（ステップＳ２２０）。ＣＰＵ１０の有している時計機能によって現在時刻の属する時間帯Ｔｚ（ｚは１乃至２４の整数）。を調べる（ステップＳ２２１）。時間指定がＴｚの広告にＤｉ（ｉは、１〜ｍｍａｘまでの整数をとる）を割り当てる（ステップＳ２２２）。この際、記録順序に従って、番号付けを行なう。前記ステップＳ２２２でＤｉの付された広告の内、番号の小さな値の広告（以下、特定の広告という）直後の、残りの広告から順にＤｉを割り当てる（ステップＳ２２３）。具体的には、特定の広告よりも後に記録されている未出力の広告に記録順にＤｉを割り当てる。次に、特定の広告よりも前に記録されている未出力の広告に記録順にＤｉを割り当てる。前記順序で割り当てを行なうことで、繰り返し出力される際に、記録順序とのずれを少なくすることができる。即ち、先に契約した広告主よりも前に、後で契約した広告主の広告が出力される数を少なく抑えることができる。
【００５３】
ステップＳ２２３の処理の後に図６のフローチャートへとリターンする。前述した図６のステップＳ２３では、割り当てられたＤｉの順で、広告情報を出力する。
【００５４】
ステップＳ２２３の第１変形例として、前記ステップＳ２２２の後、残りの全ての広告について、記録順序にＤｉを割り当てることとしても良い（ステップＳ２２３’）。処理の簡略化を図ることができる。
【００５５】
あるいは、ステップＳ２２３の第２変形例として、電源スイッチ３６をオンにした時刻の属する時間帯以後２４時までを時間指定している広告情報に順にＤｉを割り当て、次に、０時から電源スイッチ３６をオンにした時刻の属する時間帯より前の時間帯までを時間指定している広告情報に順にＤｉを割り当て、次に、時間指定の無い全ての広告情報に順にＤｉを割り当てることとしても良い（ステップＳ２２３”）。先に、時間指定のある広告情報を、有意な順に出力し、次に時間指定の無い広告情報の出力を行なうことで、有効な広告処理を実現することができる。
【００５６】
図８は、広告の表示手段であるＴＶ４ａ等への出力例を示す図である。該画面は、例えば、（一般に、“ビデオ１”等で表される）外部入力モード設定時に表示される。図８（ａ）は、広告を画面全体に表示するものである。図８（ｂ）は、ＴＶ画像と共に、広告画面を表示するものである。該画面を採用する場合、顧客の処理装置３ａ、３ｂ、…には、テレビチューナを備えることが必要になる。
【００５７】
図９は、図１に示した実施例１のシステムの変形例である、実施例２に係る広告情報処理システムを示している。理解の容易のため、本図は、図１に示したシステムと異なる構成部分を示している。本システムは、広告情報処理装置１’と、複数の放送エリアＥ１〜Ｅｎに用意された顧客用処理装置の一つである装置３ａ’と、該顧客用処理装置３ａ’に接続されている、表示手段であるＴＶ（ディスプレイ装置）４ａと、で構成されている
【００５８】
本システムでは、広告情報処理装置１’と、顧客用処理装置３ａ’とが、有線又は無線のインターネット回線、又は、有線ＴＶ放送の回線等で実現される双方向回線によって接続されている。広告情報処理装置１’と顧客用処理装置３ａ’と、に関し、図１に示す広告情報処理装置１と顧客用処理装置３ａと、同じ構成要素には、同じ参照番号を付して示してある。
【００５９】
広告情報処理装置１’は、使用する処理プログラム（第１プログラム）が異なる他、出力手段１７の代わりに、前記双方向回線用の入出力手段１８を備えている。顧客用処理装置３ａ’は、使用する処理プログラム（第２プログラム）が異なる他、入力手段３７の代わりに、前記双方向回線用の入出力手段３８を備えている。
【００６０】
顧客用処理装置３ａ’は、必要な広告情報を、直接広告情報処理装置１’に要求し、広告情報処理装置１’側で並び換えを行なった広告情報をダウンロードする。結果、顧客用処理装置３ａは、広告情報を記録しておくハードディスク（図３のハードディスク３４）を備えておらず、構成の簡略化と、コスト低減と、を図ることができる。また、広告情報の並び換え処理を広告情報処理装置１’側で実行するため、ＣＰＵ３０への負担は軽く、結果、ＣＰＵとして動作周波数の低い、比較的安価なものを用いることができる、という利点がある。
【００６１】
図１０は、広告情報処理装置１’の実行する処理のフローチャートである。まず、ＣＰＵ１０は、広告主からの依頼を受けた使用者による入力手段１４の操作を受け付ける（ステップＳ５００）。入力手段１４から広告情報の入力があった場合には（ステップＳ５００でＹｅｓ）、入力された広告情報をデータベース１５に記録する（ステップＳ５０１）。データベース１５は、記録順序と共に、１つの広告に関する情報（データ）を１レコードとして管理する。
【００６２】
広告情報の定義は、図２等に示したものと同様である。入力手段１４から広告情報の入力が無い場合には（ステップＳ５００でＮｏ）、ステップＳ５０１をスキップする。
【００６３】
電源オン信号を受けた場合（ステップＳ５０２でＹｅｓ）、続いてエリア信号が送られてくるのを待機する（ステップＳ５０３でＮｏ）。エリア信号が送られてきた場合（ステップＳ５０３でＹｅｓ）、データベース１５から該当するエリアの広告情報を特定する（ステップＳ５０４）。特定した広告情報を、現在時刻に基づいて並び換える処理を行なう（ステップＳ５０５）。ステップＳ５０５の処理は、図７に示したステップＳ２２の処理と、広告情報が顧客用処理装置のハードディスクでは無く広告情報処理装置１’のデータベース内に記録されている点を除いて、同じであり、ここでの重複した説明は省く。並び換え後の順序で広告情報の出力を行なう（ステップＳ５０６）。電源スイッチオフ信号を受けるまでの間（ステップＳ５０７でＮｏ）、ステップＳ５０４に戻り、ステップＳ５０４乃至Ｓ５０６の処理を繰り返し実行する。
【００６４】
図１１は、各エリアの顧客用処理装置３ａ’、３ｂ’、…の実行する処理のフローチャートである。電源スイッチ３６がオンになるのを待つ（ステップＳ６５０）。電源スイッチ３６がオンにされた場合（ステップＳ６５０でＹｅｓ）、電源スイッチ信号を、広告情報処理装置１’へと出力する（ステップＳ６５１）。自己の設置されているエリア信号をＲＯＭ３１から読み出し、広告情報処理装置１’へと出力する（ステップＳ６５２）。該エリア信号出力後に、広告情報処理装置１’から出力されてくる広告情報を受け取り、出力手段３３を介してＴＶ４ａに出力する（ステップＳ６５３）。電源スイッチ３６がオフに切り換えられるまでの間（ステップＳ６５４でＮｏ）、ステップＳ６５３の処理を繰り返し実行する。電源スイッチ３６がオフに切り換えられたとき（ステップＳ６５４でＹｅｓ）、広告情報処理装置１’へと電源スイッチオフ信号を出力する（ステップＳ６５５）。このように、実施例２の顧客用処理装置３ａは、広告情報の並び換えを行なう必要が無い。このことは、前述したように、比較的安価なＣＰＵ３０の使用を可能にするため、前述したハードディスクドライブを備えないということと併せて、顧客に譲渡又は貸し渡す処理装置のコスト低減を図ることができる。
【産業上の利用可能性】
【００６５】
本発明の広告情報処理システム又はプログラムは、地域密着型の広告、例えば、市町村、又は、より小さく区画された住宅エリア等、比較的小さなエリアに、有益な広告を提供するビジネスモデルに、特に有効に用いることができるが、これに限らず、都道府県等のより広範なエリア用の広告を処理する場合にも用いることもできる。
【符号の説明】
【００６６】
１、１’                    広告情報処理装置
２                          データ送受信部
３ａ、３ａ’、３ｂ、３ｃ     顧客用処理装置
４ａ、４ｂ、４ｃ            ＴＶ（ディスプレイ装置）
１０、３０                  ＣＰＵ
１１、３１                  ＲＯＭ
１２、３２                  ＲＡＭ
１３                        ディスプレイ
１４、３７                  入力手段
１５                        データベース
１６                        エンコーダ
１７、３３                  出力手段
１８、３８                  入出力手段
２２、２３、２５、２６      アンテナ
３４                        ハードディスク
３５                        デコーダ
３６                        電源スイッチ
【図１】
2012095149.tif 000003
【図２】
2012095149.tif 000004
【図３】
2012095149.tif 000005
【図４】
2012095149.tif 000006
【図５】
2012095149.tif 000007
【図６】
2012095149.tif 000008
【図７】
2012095149.tif 000009
【図８】
2012095149.tif 000010
【図９】
2012095149.tif 000011
【図１０】
2012095149.tif 000012
【図１１】
2012095149.tif 000013
【図１２】
2012095149.tif 000014